(57)【要約】【課題】  扁平形状の筒状体からなる毛髪保持具の内部に、毛髪束をスムーズに挿入又は挿通することができる毛髪挿入具を提供すること。【解決手段】  一端の開口部Ｔ１から他端の開口部Ｔ２に向けて毛髪束Ｈを挿通可能にシートにより構成された扁平形状の筒状体からなる毛髪保持具Ｔの内部に、毛髪束Ｈを挿入又は挿通する毛髪挿入具１であって、毛髪束Ｈを係止し得る係止部６を一端部に有する長尺状の本体２を具備し、前記係止部６に毛髪束Ｈを係止した状態で、前記一端の開口部Ｔ１から前記他端の開口部Ｔ２に向けて、前記筒状体の内部に円滑に挿通されるようになしてある。【選択図】  図４
2005204676.tif 000002
【特許請求の範囲】
【請求項１】
一端の開口部から他端の開口部に向けて毛髪束を挿通可能にシートにより構成された扁平形状の筒状体からなる毛髪保持具の内部に、毛髪束を挿入又は挿通する毛髪挿入具であって、
毛髪束を係止し得る係止部を一端部に有する長尺状の本体を具備し、前記係止部に毛髪束を係止した状態で、前記一端の開口部から前記他端の開口部に向けて、前記筒状体の内部に円滑に挿通されるようになしてある毛髪挿入具。
【請求項２】
前記係止部に毛髪束を係止した状態で、前記一端の開口部から前記他端の開口部に向けて、前記筒状体の内部に円滑に挿通されるように、空間形成部材を有している請求項１記載の毛髪挿入具。
【請求項３】
剛性が前記毛髪保持具の剛性よりも大きい請求項１又は２記載の毛髪挿入具。
【請求項４】
剛性が前記毛髪保持具の剛性の２０倍以上である請求項３記載の毛髪挿入具。
【請求項５】
前記空間形成部材は、前記係止部よりも厚さ及び幅の大きい摺動部材であり、該摺動部材は、前記係止部近傍に、前記毛髪挿入具の長手方向に摺動自在に設けられており、
毛髪束を、前記係止部に係止させた状態で、該係止部と前記摺動部材とで固定するようになしてある請求項２〜４の何れかに記載の毛髪挿入具。
【請求項６】
前記空間形成部材は、前記本体と一体的に形成された傾斜部であり、該傾斜部は、前記本体の他端部から該本体の一端部に向けて滑らかに厚くなっている請求項２〜４の何れかに記載の毛髪挿入具。
【請求項７】
前記係止部は、これに係止した毛髪束を幅方向に拡げる構造を有している請求項１〜６の何れかに記載の毛髪挿入具。
【発明の詳細な説明】
【技術分野】
【０００１】
本発明は、一端の開口部から他端の開口部に向けて毛髪束を挿通可能にシートにより構成された扁平形状の筒状体からなる毛髪保持具の内部に、毛髪束を挿入又は挿通する毛髪挿入具に関する。
【背景技術】
【０００２】
下記特許文献１及び２には、筒状体からなる毛髪保持具（毛髪巻取具）の内部に毛髪を挿入する毛髪挿入具（毛髪取込具）が記載されている。
下記特許文献１記載の毛髪挿入具は、棒状体の端部に毛髪を包囲可能な環部が一体成形されてなるものであり、下記特許文献２記載の毛髪挿入具は、細長形状の把持部と該把持部の先端に取り付けられたループ状のフック部とが１本の線材から形成されてなるものである。
これらの毛髪挿入具によれば、その環部又はフック部に毛髪を挿通、係止した後、その状態で該毛髪挿入具を毛髪保持具内に挿通することにより、毛髪を毛髪保持具内に挿通することができる。
【発明の開示】
【発明が解決しようとする課題】
【０００３】
しかし、前記毛髪挿入具においては、毛髪を環部又はフック部に係止した該毛髪挿入具を毛髪保持具へ挿入する際の挿入性に関し特段の工夫がなされておらず、毛髪挿入具を毛髪保持具にスムーズに挿入し難く、特に、毛髪の屈曲部が毛髪保持具の開口部に挿入される際における毛髪挿入具の挿入性に劣っていた。
【０００４】
従って、本発明の目的は、扁平形状の筒状体からなる毛髪保持具の内部に、毛髪束をスムーズに挿入又は挿通することができる毛髪挿入具を提供することにある。
【０００５】
【特許文献１】特開平１０−１９２０３６号公報
【特許文献２】特開２００３−９３１３３号公報
【課題を解決するための手段】
【０００６】
本発明は、一端の開口部から他端の開口部に向けて毛髪束を挿通可能にシートにより構成された扁平形状の筒状体からなる毛髪保持具の内部に、毛髪束を挿入又は挿通する毛髪挿入具であって、毛髪束を係止し得る係止部を一端部に有する長尺状の本体を具備し、前記係止部に毛髪束を係止した状態で、前記一端の開口部から前記他端の開口部に向けて、前記筒状体の内部に円滑に挿通されるようになしてある毛髪挿入具を提供することにより前記目的を達成したものである。
【発明の効果】
【０００７】
本発明の毛髪挿入具によれば、扁平形状の筒状体からなる毛髪保持具の内部に、毛髪束をスムーズに挿入又は挿通することができる。
【発明を実施するための最良の形態】
【０００８】
本明細書に記載の実施形態における「フック部」は、全て「係止部」の一形態である。
以下、本発明の毛髪挿入具を、その好ましい一実施形態について、図１及び図２を参照して説明する。
本実施形態の毛髪挿入具１は、図１〜図４に示すように、一端の開口部Ｔ１から他端の開口部Ｔ２に向けて毛髪束Ｈを挿通可能にシートにより構成された扁平形状の筒状体から
なる毛髪保持具Ｔの内部に、毛髪束Ｈを挿入又は挿通する毛髪挿入具１である。そして、毛髪束Ｈを係止し得る係止部６を一端部に有する長尺状の本体（板状部材２）と、前記筒状体の内部に筒状空間を形成させ、前記係止部６に毛髪束Ｈを係止した状態の前記毛髪挿入具１を前記筒状空間に前記一端の開口部Ｔ１から前記他端の開口部Ｔ２に向けて円滑に挿通させる空間形成部材（摺動部材３）とからなり、剛性が前記毛髪保持具Ｔの剛性よりも大きい。
【０００９】
本実施形態の毛髪挿入具１について更に詳述する。
本実施形態の毛髪挿入具１は、図１に示すように、毛髪束Ｈを係止し得る係止部６を一端部に有する長尺状の本体として、板状部材２を備える。該板状部材２は、毛髪挿入具１のの長手方向中央部から他端部（図面下方）に亘っている。板状部材２には、略矩形の切り抜き２８が複数個長手方向に離間して形成されている。切り抜き２８は、毛髪挿入具の軽量化、剛性の適正化（低減）、材料費の低減、見栄え向上等のために設けられている。
板状部材２の一端部には、枠状の係止部６が設けられている。係止部６の内周面のうち板状部材２の幅方向の一辺に、複数本の櫛歯６１が板状部材２の他端部に向けて形成されている。このような構造は、係止部６に係止した毛髪束Ｈを幅方向に拡げる構造を構成しており、特に剛性の小さな（柔らかい）毛髪保持具に対する挿入性を向上させるのに有効である。
【００１０】
本実施形態の毛髪挿入具１には、図１及び図２に示すように、前記空間形成部材として、摺動部材３が設けられている。該摺動部材３は、係止部６よりも厚さ及び幅が大きくなっており、係止部６近傍に、毛髪挿入具１の長手方向に摺動自在に設けられている。
摺動部材３の下部には、図１（ｃ）に示すように、挿通孔部３５が形成されており、係止部６が挿通孔部３５を挿通するように設けられている。そして、摺動部材３は、図２に示すように、上方に移動させるとその内部に係合部６の櫛歯６１近傍を収納し得るようになっている。
摺動部材３における板状部材（本体）２の他端部（挿入側）側の端部近傍は、図１（ｂ）に示すように、側面視で角部が円弧形状を有しており、そのため、その厚さが該他端部から板状部材２の一端部に向けて滑らかに大きくなっている。
【００１１】
板状部材２と係止部６との境界近傍における一方の側縁部には、毛髪挿入具１の幅方向外方に延出する下ストッパー部２７Ａが設けられている。係止部６の上端部近傍における両側縁部には、毛髪挿入具１の幅方向外方に延出する上ストッパー部２７Ｂがそれぞれ設けられている。そして、摺動部材３は、図１（ａ）に示すように下ストッパー２７Ａに突き当たるまで下方に移動でき、図２に示すように上ストッパー２７Ｂに突き当たるまで上方に移動できるようになっている。
そのため、本実施形態の毛髪挿入具１においては、図３（ａ）に示すように摺動部材３が下方に位置する状態において、図３（ｂ）に示すように毛髪束Ｈを係止部６の櫛歯６１に係止させ、図３（ｃ）に示すように摺動部材３を上方に移動させることにより、毛髪束Ｈを、係止部６に係止させた状態で、該係止部６と摺動部材３とで固定できるようになっている。
【００１２】
本発明の毛髪挿入具における本体及び空間形成部材は、合成樹脂材料の切削又は成形加工、金属材料の切削加工等により形成することができ、本実施形態においては、合成樹脂材料の切削加工により形成されている。
尚、毛髪挿入具１の先端部は図１に示すようにＲを付けて丸みを持たせるのが、毛髪保持具への挿入性の面で好ましい。
本発明の毛髪挿入具においては、その剛性が毛髪保持具の剛性よりも大きくなっており、毛髪挿入具の剛性は、好ましくは毛髪保持具の剛性の２０倍以上、更に好ましくは毛髪保持具の剛性の１００倍以上である。
毛髪挿入具の剛性は、少なくとも毛髪保持具へ挿入する毛髪挿入具の先端部において上記の剛性を有していれば良く、挿入具全体が上記の剛性を有している必要は必ずしもない。
【００１３】
本発明における「毛髪挿入具の剛性」及び「毛髪保持具の剛性」は、ＪＩＳ  Ｐ８１２５に規定される「こわさ試験方法」により測定されるテーバーこわさで評価される。
毛髪挿入具の剛性は、毛髪挿入具の剛性に実質的に影響を与えない部材（例えば、図１に示す実施形態における摺動部材３、後述する図８に示す実施形態における摺動部材）がある場合にあってはそれを外した状態の毛髪挿入具について、そのような部材がない場合にあっては毛髪挿入具全体について、前記こわさ試験方法によりテーバーこわさを測定し、評価される。
また、毛髪保持具の剛性は、筒状体を扁平形状にした状態で毛髪保持具全体について、前記こわさ試験方法によりテーバーこわさを測定し、評価される。
【００１４】
次に、図１に示す実施形態の毛髪挿入具の一使用態様について、図３及び図４を参照しながら説明する。
図３（ａ）に示すように摺動部材３を下方に配置する。次に、図３（ｂ）に示すように毛髪束Ｈを係止部６の櫛歯６１に係止する。次いで、図３（ｃ）に示すように摺動部材３を上方に移動する。このようにして、毛髪束Ｈを、係止部６に係止させた状態で、該係止部６と摺動部材３とで固定する。
そして、毛髪束Ｈが固定された状態の毛髪挿入具１を、図４（ａ）〜（ｃ）に示すように、板状部材２の他端部から毛髪保持具Ｔの一端の開口部Ｔ１へ挿入し、他端の開口部Ｔ２から抜き出す。尚、予め毛髪保持具の中に毛髪挿入具を挿入しておき、その後毛髪を毛髪挿入具にセットし、毛髪挿入具を毛髪保持具から抜き出すことにより毛髪を毛髪保持具に導くこともできる。
【００１５】
このようにして毛髪挿入具１を毛髪保持具Ｔの一端の開口部Ｔ１から他端の開口部Ｔ２に挿通させると、図４（ｃ）に示すように、毛髪束Ｈの先端が毛髪保持具Ｔの他端の開口部Ｔ２から少しはみ出た状態となる。然る後、毛髪保持具Ｔを巻回する等して、毛髪束に所定の巻きぐせを付与することができる。
尚、必ずしも、毛髪束Ｈの先端を毛髪保持具Ｔの他端の開口部Ｔ２からはみ出させる必要はない。また、毛髪束には、明確には束になっていないが、ある程度の本数の毛髪がまとまっているものを含む。
【００１６】
本実施形態の毛髪挿入具１によれば、筒状体Ｔの内部に筒状空間を形成させ、係止部６に毛髪束Ｈを係止した状態の毛髪挿入具１を前記筒状空間に一端の開口部Ｔ１から他端の開口部Ｔ２に向けて円滑に挿通させる空間形成部材として、係止部６よりも厚さ及び幅の大きい摺動部材を備え、剛性が毛髪保持具Ｔの剛性よりも大きくなっている。そのため、毛髪束Ｈが毛髪保持具Ｔの内部を挿入、挿通する前に、係止部６及びこれに係止された毛髪束Ｈを包囲できる摺動部材３が毛髪保持具Ｔの内部に筒状空間を形成しながら、毛髪保持具Ｔの内部を挿入、挿通するため、毛髪束Ｈと毛髪保持具Ｔとの間に挿通抵抗がほとんど生じず、毛髪束Ｈを毛髪保持具Ｔをスムーズに挿入、挿通することができる。
【００１７】
特に、摺動部材３が毛髪挿入具１の長手方向に摺動自在に設けられているため、空間形成部材である摺動部材３を、毛髪束Ｈの屈曲部分の近接位置に配置することができ、挿入性が一層向上する。
また、係止部６に係止された毛髪束Ｈを係止部６と摺動部材３とで固定できるため、毛髪束Ｈを毛髪保持具Ｔ内に取り込んでいる途中で係止部６から毛髪束Ｈがずれ落ち難い。しかも、毛髪束Ｈが係止部６の櫛歯６１に引っ掛かり、更に毛髪束Ｈの屈曲部分が摺動部材３の内部により包囲されるため、毛髪束Ｈに対する高い係止力が得られる。
【００１８】
次に、本発明の毛髪挿入具の他の実施形態について説明する。これらの実施形態については、前述の実施形態と異なる点についてのみ説明し、特に説明しない点については、前述の実施形態に関する説明が適宜適用される。そして、他の実施形態の毛髪挿入具においても、前述の実施形態の毛髪挿入具と同様に、毛髪束をスムーズに毛髪保持具の内部に挿通することができる。
【００１９】
図５及び図６に示す別の実施形態の毛髪挿入具１は、その本体２の一端部に係止部として鉤状のフック部２１を有しており、本体２の他端部２４の近傍は、四半円弧状に先細り形状となっており、毛髪保持具Ｔへの挿入性を向上させている。
本体２には、切り抜き２８が形成されている。この切り抜き２８は、図１に示す実施形態における切り抜き２８と同様の目的のものである。
【００２０】
フック部２１は、図５に示すように、基部２１Ｂ、延出部２１Ｃ及び先端部２１Ｄからなる。基部２１Ｂは、毛髪挿入具１の本体２の上部の幅方向端部に連結され、毛髪挿入具１の長手方向に延びている。基部２１Ｂの上端には、延出部２１Ｃが毛髪挿入具１の幅方向に延びるように連結されている。延出部２１Ｃの自由端部には、先端部２１Ｄが本体２の他端部に向けて延出するように連結されている。
延出部２１Ｃには、複数個の櫛歯孔部２１Ｅが形成されており、櫛歯孔部２１Ｅには、その本体２側から、摺動部材３の櫛歯３１（後述）が挿入できるようになっている。
基部２１Ｂの内方側縁部には、基部２１Ｂより肉薄の板状のスライド基部２３が設けられている。
【００２１】
本体２とフック部２１との境界近傍は、図５及び図６に示すように、本体２の大部分を占める肉薄部２２Ａより厚くなっており、肉厚部２２Ｃを形成している。肉薄部２２Ａと肉厚部２２Ｃとは、図６に示すように、本体２の他端部から一端部に向けて滑らかに厚くなっている傾斜部２２Ｂにより連続している。このように、傾斜部２２Ｂは、本体２と一体的に形成され、本発明における「空間形成部材」を構成している。
肉厚部２２Ｃにおける毛髪挿入具１の幅方向中央部には、毛髪挿入具１の長手方向に延びる摺動凹部２５が形成されている。摺動凹部２５と前記スライド基部２３とは、同厚で一体的に形成されている。
摺動凹部２５は、図５（ｂ）及び図７（ａ）に示すように、本体２の肉厚部２２Ｃの表裏面それぞれに形成されている。表裏面それぞれに形成された摺動凹部２５の両底部を貫通するように、凹部貫通孔２６〔図５（ｂ）参照〕が形成されている。
【００２２】
本体２の一端部側には、摺動部材３が毛髪挿入具１の長手方向に摺動自在に設けられている。
摺動部材３は、一端部に櫛歯３１を有する櫛歯部材であり、櫛歯３１は、その先端がフック部２１に向けて形成されている。摺動部材３の他端部を含む摺動凸部３２は、本体２の摺動凹部２５に嵌合する断面形状を有している。摺動凸部３２は、両摺動凹部２５それぞれに配置されており、凹部貫通孔２６を介して連結されている。
【００２３】
摺動凸部３２の大部分は、図６に示すように、本体２における肉厚部２２Ｃより厚くなっており、摺動凸部３２の上部（フック部２１側）である最肉厚部３３は、更に厚さが厚くなっている。このように、本実施形態においては、摺動部材３が前記傾斜部２２Ｂとは別の第２の空間形成部材を構成している。
フック部２１の基部２１Ｂは、本体２の肉厚部２２Ｃと略同じ厚さを有しており、延出部２１Ｃは、基部２１Ｂより薄くなっている。
【００２４】
摺動部材３は、図５に示すように摺動凸部３２の下端部３４〔図７（ａ）参照〕が摺動
凹部２５の下端部２５Ａに突き当たるまで下方に移動でき、図７（ａ）に示すように摺動部材３の櫛歯３１がフック部２１の櫛歯孔部２１Ｅに挿入されるまで上方に移動できるようになっている。
そのため、本実施形態の毛髪挿入具においては、図５に示すように摺動部材３が下方に位置する状態において、毛髪束Ｈをフック部２１に係止させ、図７（ｂ）に示すように摺動部材３を上方に移動させることにより、毛髪束Ｈを、フック部２１に係止させた状態で、フック部２１と摺動部材３の櫛歯３１とで固定できるようになっている。
【００２５】
本実施形態の毛髪挿入具１によれば、図１に示す実施形態の毛髪挿入具と同様の操作により、毛髪保持具に毛髪束を挿入、挿通することができ、同様の効果を得ることができる。
特に、本実施形態の毛髪挿入具１においては、本体２の他端部から一端部に向けて滑らかに厚くなっている傾斜部２２Ｂ及び摺動部材３を備えているため、詳細には、図６に示すように、板状部材２の他端部（図面右方）から一端部（図面左方）に向けて、本体２の肉薄部２２Ａ、傾斜部２２Ｂ、肉厚部２２Ｃ、摺動部材３の摺動凸部３２、最肉厚部３３の順に徐々に厚さが大きくなって、空間形成部材を形成しており、摺動凸部３２及び最肉厚部３３がフック部２１よりも厚くなっているため、斯る空間形成部材が、図１に示す実施形態における摺動部材３による空間形成部材と同様の働きをすることになる。
【００２６】
図８に示す更に別の実施形態の毛髪挿入具１は、本体として、細長板状で他端部近傍が先細状に形成された板状部材２を備える。板状部材２は、硬質の合成樹脂シートや金属板等から形成され、本実施形態では、硬質の合成樹脂シートで形成されている。
【００２７】
板状部材２の一端部には、係合部７が設けられている。係止部７は、図８に示すように、板状部材２の長手方向に延びる波状に形成されたスリットであり、その間に毛髪束Ｈを挟持固定し得るようになっている。
係止部７の端部側には、これと連続する略矩形状の切り抜き部４が形成されている。本実施形態においては、切り抜き部４における板状部材２の幅方向の一辺が、係止部７（切り抜き部４）に係止した毛髪束Ｈを幅方向に拡げる構造を構成している。
【００２８】
係止部７近傍には、図８に示すように、摺動部材３が毛髪挿入具１の長手方向に摺動自在に設けられている。摺動部材３は、係止部７よりも厚さ及び幅が大きくなっている。摺動部材３の下部には、挿通孔部（図示せず）が形成されており、係止部７が該挿通孔部を挿通するように設けられている。そして、摺動部材３は、図９（ｂ）に示すように上方に移動させるとその内部に係合部７の切り抜き部４近傍を収納し得るようになっている。
【００２９】
摺動部材３における板状部材２の他端部側の端部近傍は、図８（ｂ）に示すように、側面視で、板状部材２の他端部から一端部に向けて板状部材２の表裏面側にそれぞれ傾斜しており、そのため、その厚さが該他端部から該一端部に向けて滑らかに大きくなっている。また、図８（ａ）に示すように、正面視で、板状部材２の他端部から一端部に向けて板状部材２の両側面側にそれぞれ傾斜しており、そのため、その幅が該他端部から該一端部に向けて滑らかに大きくなっている。
【００３０】
板状部材２と係止部７との境界近傍における表面には、板状部材２の一端部に向けてめくれ上がるように延出する下ストッパー部２７Ａが設けられている。下ストッパー部２７Ａは、板状部材２の一端部近傍をコ字状に切断し、コ字状に切断した部分を該一端部側にめくり上げて形成されている。
係止部７の上端部近傍における両側縁部には、毛髪挿入具１の幅方向外方に延出する上ストッパー部２７Ｂがそれぞれ設けられている。そして、摺動部材３は、その下端部が図８に示すように下ストッパー２７Ａに突き当たるまで下方に移動でき、図９（ｂ）に示す
ように上ストッパー２７Ｂに突き当たるまで上方に移動できるようになっている。
【００３１】
そのため、本実施形態の毛髪挿入具１においては、図８に示すように摺動部材３が下方に位置する状態において、図９（ａ）に示すように係止部７を少し開き、係止部７の間に毛髪束Ｈを挟持し、図９（ｂ）に示すように摺動部材３を上方に移動させることにより、毛髪束Ｈを、係止部７の切り抜き部４に係止させた状態で、該係止部７と摺動部材３とで固定できるようになっている
【００３２】
板状部材２の他端部近傍には、図８に示すように、戻り阻止部５が形成されている。戻り阻止部５は、板状部材２の他端部近傍の一部で形成されてなり、板状部材２の他端部が毛髪保持具Ｔの他端の開口部Ｔ２から抜け出た後に板状部材２がその挿入方向の反対方向に戻ろうとすると、毛髪保持具Ｔの他端の開口部Ｔ２の縁部に係止し得るようになされている。詳述すると、戻り阻止部５は、板状部材２の他端部近傍をコ字状に切断し、コ字状に切断した部分を該他端部にめくり上げて形成されている。
この戻り阻止部５は、毛髪保持具Ｔの他端の開口部Ｔ２の縁部に引っ掛かり、毛髪挿入具１から毛髪保持具Ｔがズレ落ちることを防止する機能を有している。
【００３３】
本実施形態の毛髪挿入具１によれば、図１に示す実施形態の毛髪挿入具と同様の操作により、毛髪保持具に毛髪束を挿入、挿通することができ、同様の効果を得ることができる。
【００３４】
本発明の毛髪挿入具は、前述した実施形態に制限されることなく、本発明の趣旨を逸脱しない限り、適宜変更が可能である。
本発明の毛髪挿入具における本体は、長尺状で、毛髪束を係止し得る係止部を一端部に有するものであれば、前述した実施形態における本体に制限されない。
【００３５】
本発明の毛髪挿入具における空間形成部材Ｓは、図１０に示すように、毛髪保持具Ｔの筒状体の内部に筒状空間を形成させ、係止部Ｒに毛髪束Ｈを係止した状態の毛髪挿入具１を前記筒状空間に一端の開口部Ｔ１から他端の開口部に向けて円滑に挿通させるものであれば、前述した実施形態における空間形成部材に制限されない。特に、図１０に示すように、空間形成部材Ｓが毛髪束Ｈの屈曲部分の近接位置に配置できる構成を有していると、毛髪束Ｈの屈曲部分近傍に前記筒状空間が形成されて毛髪束Ｈの挿入性が向上するため好ましい。また、空間形成部材Ｓが係止部Ｒ及びこれに係止された毛髪束Ｈを包囲できる構成を有していると、毛髪束Ｈと毛髪保持具Ｔとの挿通抵抗が減少し、更に好ましい。
【００３６】
また、例えば、摺動部材においては、係止部よりも厚さのみ又は幅のみが大きいものでもよく、摺動部材における本体の他端部側の端部近傍の厚さ及び／又は幅が該他端部から本体の一端部に向けて滑らかに大きくなっているものが好ましい。傾斜部においては、その幅が本体の他端部から一端部に向けて滑らかに大きくなっているものでもよく、厚さ及び幅の両方が大きくなっているものでもよい。
【００３７】
本発明の毛髪挿入具においては、図１及び図８に示す実施形態のように本体と空間形成部材とが別体で構成されていてもよく、本体と空間形成部材とが一体的に形成されていてもよい。図５に示す実施形態のように複数の空間形成部材が設けられていてもよい。
毛髪挿入具の本体の他端部に丸みを帯びていると、その挿入性が向上するため好ましい。
本発明の毛髪挿入具と組み合わせて用いられる毛髪保持具における筒状体の巻き上げ形態は、前記実施形態のような渦巻ばね状に制限されず、目的に応じ、蛇腹状、ジグザグ状、スパイラル状などの種々の形態とすることができる。筒状体は、その形成方法について
特に制限はなく、シートを縫合、融着又は接着して形成したものでも、押出成形等により当初から扁平筒状に形成したものでもよい。
【００３８】
上述した本発明の各実施形態の毛髪挿入具を用いて毛髪束に巻きぐせを付与する際には、パーマネント剤を用いてパーマ処理をすることが好ましい。例えば図１に示す毛髪挿入具を用い、毛髪保持具の内部に毛髪束を挿通した後、該毛髪保持具を毛髪束と共に巻き上げ、この状態下にパーマネント剤を該毛髪保持具に向けて付与することができる（図示省略）。そうすることによりパーマネント剤が筒状体を介して毛髪束に行き渡る。所定時間後、筒状体から毛髪束を挿脱し、洗髪等して、パーマ処理を完了する。
毛髪保持具がパーマネント剤に対して不透過性の筒状体からなる場合には、パーマネント剤を毛髪保持具の開口部からその内部に供給すればよく、そうすることによりパーマネント剤を毛髪束に行き渡らせることができる。
【実施例】
【００３９】
毛髪保持具に対する毛髪挿入具の挿入性の評価試験の結果を以下に示す。
〔実施例〕
毛髪保持具として、２枚のポリエチレン不織布（２５０μｍ厚）からなり、全体としてテーバーこわさが０．０９ｍＮｍの毛髪保持具（長さ２５ｃｍ、幅４ｃｍ）を用いた。
毛髪挿入具として、低密度ポリエチレン（ＬＤＰＥ）シート（１ｍｍ厚）からなり、テーバーこわさが１７．２ｍＮｍの毛髪挿入具を用いた。
上記毛髪挿入具を上記毛髪保持具に挿入し、挿入性を評価した。挿入性の評価基準を以下に示す。
○：  スムーズに挿入可能
△：  スムーズではないが挿入可能
×：  挿入が困難
【００４０】
〔比較例１〕
毛髪挿入具として、ポリエチレンフィルム（２５０μｍ厚）からなり、テーバーこわさが１．５ｍＮｍの毛髪挿入具を用いた。
毛髪保持具として、前記実施例における毛髪保持具を用い、前記実施例と同様に挿入性を評価した。
【００４１】
〔比較例２〕
毛髪挿入具として、ナイロン糸（φ１ｍｍ）からなり、テーバーこわさが１．６ｍＮｍの毛髪挿入具を用いた。尚、テーバーこわさは換算値である。
毛髪保持具として、前記実施例における毛髪保持具を用い、前記実施例と同様に挿入性を評価した。
【００４２】
【表１】
2005204676.tif 000003
【００４３】
〔表１〕に示す評価結果から明らかなように、こわさの倍率（毛髪挿入具の剛性／毛髪保持具の剛性）が小さい場合はスムーズな挿入性が得られず、こわさの倍率を大きい場合にはスムーズな挿入性が得られる。
【図面の簡単な説明】
【００４４】
【図１】図１は、本発明の毛髪挿入具の一実施形態を示す図で、（ａ）は正面図、（ｂ）は左側面図、（ｃ）は（ｂ）の部分断面図である。
【図２】図２は、図１に示す実施形態の毛髪挿入具について、摺動部材を上方に移動させた状態を示す図〔図１（ａ）対応図〕である。
【図３】図３は、図１に示す実施形態の毛髪挿入具の一使用態様を示す図で、（ａ）、（ｂ）及び（ｃ）は、それぞれ毛髪挿入具への毛髪束の係止手順を順次示す正面図である。
【図４】図４は、図１に示す実施形態の毛髪挿入具の一使用態様を示す図で、（ａ）、（ｂ）及び（ｃ）は、それぞれ毛髪挿入具の毛髪保持具への挿通手順を順次示す正面図である。
【図５】図５は、本発明の毛髪挿入具の別の実施形態を示す図で、（ａ）は正面図、（ｂ）は背面図である。
【図６】図６は、図５に示す実施形態の毛髪挿入具の上半分の左側面図である。
【図７】図７は、図５に示す実施形態の毛髪挿入具の上半分を示す正面図〔図５（ａ）上半分対応図〕で、（ａ）は摺動部材を上方に移動させた状態を示す図、（ｂ）はフック部に毛髪束を係止させた状態を示す図である。
【図８】図８は、本発明の毛髪挿入具の更に別の実施形態を示す図で、（ａ）は正面図、（ｂ）は左側面図である。
【図９】図９は、図８に示す実施形態の毛髪挿入具の一使用態様を示す図で、（ａ）及び（ｂ）は、それぞれ毛髪挿入具への毛髪束の係止手順を順次示す正面図である。
【図１０】図１０は、本発明の毛髪挿入具を毛髪保持具に挿入することにより、空間形成部材によって毛髪保持具に筒状空間が形成された状態を示す概念図で、毛髪保持具及び空間形成部材を断面視した図である。
【符号の説明】
【００４５】
１  毛髪挿入具
２  本体（板状部材）
２１  フック部
２２Ｂ  空間形成部材（傾斜部）
３  空間形成部材（摺動部材）
３１  櫛歯
３２  摺動凸部
４  切り抜き部
５  戻り阻止部
６、７  係止部
６１  櫛歯
Ｈ  毛髪束
Ｔ  毛髪保持具（筒状体）
Ｔ１  一端の開口部
Ｔ２  他端の開口部
【図１】
2005204676.tif 000004
【図２】
2005204676.tif 000005
【図３】
2005204676.tif 000006
【図４】
2005204676.tif 000007
【図５】
2005204676.tif 000008
【図６】
2005204676.tif 000009
【図７】
2005204676.tif 000010
【図８】
2005204676.tif 000011
【図９】
2005204676.tif 000012
【図１０】
2005204676.tif 000013